(57)【特許請求の範囲】
【請求項１】
傾斜地盤に積み上げられた盛土における土壌酸性化を抑制・防止するための盛土構造であって、盛土の傾斜上端及び傾斜下端で、傾斜方向に交差する方向の全長及び全深さに亘って、該盛土中にアルカリ性材料を含む地中壁をそれぞれ形成したことを特徴とする盛土構造。
【請求項２】
前記傾斜地盤において、前記傾斜下端の地中壁が配置される区域を掘削して凹部を形成し、該凹部をアルカリ性材料を含む材料で埋め戻し、この埋め戻し部分のうえに、前記傾斜下端の地中壁を設けたことを特徴とする請求項１記載の盛土構造。
【請求項３】
傾斜下端の前記地中壁から更に傾斜下方に離隔した位置で、前記埋め戻し部分のうえに、盛土からの浸出水を堰き止める貯留構造物を設けたことを特徴とする請求項２記載の盛土構造。
【発明の詳細な説明】
【０００１】
【発明の属する技術分野】
本発明は、傾斜地盤に積み上げられた盛土における土壌酸性化を抑制・防止するための盛土構造に関する。
【０００２】
【従来の技術】
堆積性軟岩や海成の洪積層における建設工事では、掘削や転地により土壌中に含まれる黄鉄鉱が、空気中の酸素により短時間に酸化されて風化を受け、さらに雨水が土壌中に浸透することにより長期にわたって土壌酸化が継続すると共に、酸性水の流出が続き、いわゆる「酸性硫酸塩土壌」による問題が発生している。土壌酸性化と酸性水の流出は、主に掘削土の盛土（土置場）で発生するが、これらの問題の対策としては、従来、掘削土への消石灰などのアルカリ性材料の投入や混合を行ったり、または掘削盛土にモルタルなどを吹付けて、盛土表面を遮水することによって酸素を遮断したり、さらに、流出した酸性水を集水して水処理設備により中和処理を行っている。
【０００３】
【発明が解決しようとする課題】
しかしながら、前述した対策のうち、アルカリ性材料の投入・混合による方法は、大量のアルカリ性材料を土壌に投入・混合する必要があるため手間が掛かり、施工性や経済性の点から不利である。また、表面遮水・酸素遮断による方法は、効果の確実性の面から不利である。集水・水処理による方法は効果が確実であるが、経済性や対策実施期間の長さの点から、不利な点が多いことが知られ、また、大量の降雨により処理施設の能力を超える雨水が流れ込んだ場合には酸性水の流出が起きることが多い。
【０００４】
本発明は上記従来技術の問題点に着目し、これを解決せんとしたものであり、その課題は、短期間で酸性化抑制と効果の持続性の要求を満たし、かつ経済的に優れた施工を可能にする盛土構造を提供することにある。
【０００５】
【課題を解決するための手段】
上記課題を解決するために、本発明では、傾斜地盤に積み上げられた盛土における土壌酸性化を抑制・防止するための盛土構造であって、盛土の傾斜上端及び傾斜下端で、傾斜方向に交差する方向の全長及び全深さに亘って、該盛土中にアルカリ性材料を含む地中壁をそれぞれ形成したことを特徴とする盛土構造を提供する。本発明の盛土構造は、既存の盛土または新たに造成する盛土の何れにも適用することができる。
【０００６】
ここで、前記地中壁は、盛土の傾斜上端及び傾斜下端に加えて、これらの中間部分にも適宜配置することができる。また前記地中壁を構成する材料はアルカリ性材料であれば良く、例えば、石灰岩、生石灰、消石灰及びセメント等の石灰系材料、掘削した盛土土壌（酸性土）にセメントを混合してアルカリ性に改良した改良土壌、製紙かす焼却灰（ペーパースラッジ灰）、下水汚泥焼却灰、石炭灰及びＲＤＦ灰（ゴミ発電生成灰）等の産廃系アルカリ材料を使用することができる。さらに、前記地中壁では、その最深部に、粒径５〜１５cm程度に砕いた石灰岩を積み上げて、岩砕壁や岩砕層を設けても良い。
【０００７】
本発明の盛土構造では、前記傾斜地盤において、前記傾斜下端の地中壁が配置される区域を掘削して凹部を形成し、該凹部を石灰岩等のアルカリ性材料を含む材料で埋め戻し、この埋め戻し部分のうえに、前記傾斜下端の地中壁を設けても良い。ここで、前記凹部は、傾斜地盤における地中壁の接地部分と、且つ、この接地部分から傾斜下方へ広がる範囲に形成することが好ましい。
【０００８】
本発明の盛土構造では、傾斜下端の前記地中壁から更に傾斜下方に離隔した位置で、前記埋め戻し部分のうえに、盛土からの浸出水を堰き止める貯留構造物を設けても良い。
【０００９】
【実施例】
以下、添付図面に基づいて実施例を説明するが、本発明はこれに限定されるものではない。図１は本発明の盛土構造を示した斜視図であり、図２は図１の盛土構造の断面図である。図１及び図２では、盛土１１が傾斜地盤２０に積み上げられており、この盛土１１の傾斜上端、傾斜下端及び中間部には、それぞれ原盛土部分１３,１３を挟んで上端中和壁１２、下端中和壁１５及び中間中和壁１４が設けられ、下端中和壁１５から傾斜下方に所定長離隔した傾斜地盤２０上には、盛土からの浸出水を堰き止める貯留構造物としての堰１６が設けられている。
【００１０】
ここで、各中和壁１２,１４,１５は、盛土１１の傾斜方向に交差する方向の全長にわたり盛土原土を掘削し、傾斜地盤２０に達する深さまで形成する。また各中和壁１２,１４,１５は、中和壁を構築するために掘削して排出された盛土原土にセメント系固化材を混合してアルカリ性に改良した改良土壌と、石灰岩あるいは消石灰を用いて形成する。なお、改良土壌は、前記堰１６を構築する際の材料の一部として使用したり、あるいは、必要に応じて盛土表面に遮水層を設ける場合には、材料の一部として使用することができる。以上のように、各中和壁１２,１４,１５を設ければ、傾斜上端の盛土から浸透した雨水は、各中和壁において中和されると共に、アルカリ成分は雨水に溶け出して原盛土部分１３を流れ、原盛土部分１３に含まれる酸性土壌と反応して中和作用を生じる。したがって、盛土１１の傾斜上端、傾斜下端及び中間部に、アルカリ性材料を含む中和壁１２,１４,１５を部分的に設けるだけであるため、施工上の手間を減らすことができて、且つ、アルカリ性材料の所要量も低減することができる。
【００１１】
また、各中和壁１２,１４,１５の最深部分、すなわち、各中和壁１２,１４,１５の傾斜地盤に接地した部分には、図３に例示したように、粒径５〜１５cm程度に砕いた石灰岩を積み上げて、岩砕壁２１ａや岩砕層２１ｂを設けても良い。このような岩砕壁２１ａや岩砕層２１ｂの造成により、盛土の安定性向上に寄与すると共に、フィルター層のように作用して、盛土中の浸透水の排出を速やかにする効果が得られる。
【００１２】
さらに、前記下端中和壁１５の下方の傾斜地盤２０には、図４に示したように、埋戻層２４を設けることもできる。この埋戻層２４は、下端中和壁１５を構築するに際して、盛土原土を掘削した後、さらに地山としての傾斜地盤２０をも掘削して凹部２３を形成し、この凹部２３を石灰岩、生石灰、消石灰、セメント、製紙かす焼却灰（ペーパースラッジ灰）、下水汚泥焼却灰、石炭灰又はＲＤＦ灰（ゴミ発電生成灰）等のアルカリ性材料を含む材料で埋め戻して形成する。この凹部２３は、下端中和壁１５の接地部分から傾斜下方へ広がる範囲、すなわち、傾斜地盤２０における下端中和壁１５と堰１６の接地部分を含む範囲に形成する。
【００１３】
以上のように、埋戻層２４を設ければ、盛土１１内で中和されずに通過して下端中和壁１５に達した酸性水は、埋戻層２４の凹部２３に滞留し、ここで埋め戻し材としてのアルカリ性材料と反応させて中和することができる。また、盛土表面を流れたり、あるいは、下端中和壁１５から浸出した酸性水１７は、堰１６によって下端中和壁１５との間に堰き止められるが、ここには埋戻層２４が設けられているため、やはり酸性水は中和することができる。
【００１４】
【発明の効果】
本発明の盛土構造では、石灰岩等のアルカリ性材料を含む地中壁を盛土中の傾斜上端及び傾斜下端に設けたので、傾斜上端の盛土に浸透した雨水は、傾斜上端の地中壁に達し、アルカリ成分は雨水に溶け出して盛土中を流れ、盛土に含まれる酸性土壌と反応して、これを中和する。また盛土中を流れて、充分に中和されていない雨水は、傾斜下端の地中壁に達すると、ここで確実に中和される。したがって、盛土の全域にわたりアルカリ性材料を投入・混合する従来技術と比較すると、施工上の手間を減らすことができて、且つ、アルカリ性材料の所要量も低減することができる。
【００１５】
また本発明の盛土構造では、傾斜下端の地中壁が配置される傾斜地盤を掘削して、ここを石灰岩等のアルカリ性材料を含む材料で埋め戻したので、盛土中に浸透して地山に達し、傾斜下方に向かって流れる雨水も、この埋め戻し部分において確実に中和することができる。したがって、長期間にわたり継続的に酸性化抑制効果を得ることができる。
【００１６】
さらに、本発明の盛土構造では、傾斜下端の地中壁から傾斜下方に離隔した位置で、且つ、埋め戻し部分のうえに貯留構造物を設けたので、盛土から浸出する酸性水は貯留構造物によって堰き止められ、埋め戻し部分のアルカリ性材料と反応して中和される。したがって、施工上の手間を減らすことができて、アルカリ性材料の所要量も低減することができる。
【図面の簡単な説明】
【図１】本発明の盛土構造を示した斜視図である。
【図２】図１の盛土構造の断面図である。
【図３】図２と異なる盛土の傾斜下端を示した断面図である。
【図４】図２及び図３とは異なる盛土構造を示した断面図である。
【符号の説明】
１１  盛土（盛土構造）
１２  上端中和壁（傾斜上端の地中壁）
１３  原盛土部分
１５  下端中和壁（傾斜下端の地中壁）
１６  堰（貯留構造物）
２０  傾斜地盤
２３  凹部
２４  埋戻層（埋め戻し部分）
【図１】
0004036989.tif 000002
【図２】
0004036989.tif 000003
【図３】
0004036989.tif 000004
【図４】
0004036989.tif 000005